(57)【特許請求の範囲】
【請求項１】
第１の部材に対して第２の部材を開閉可能に軸支するヒンジ装置において、
一端部が前記第２又は第１の部材に回転不能に取り付けられるヒンジ軸と、
前記第１又は第２の部材に回転不能に取り付けられており且つ前記ヒンジ軸の他端部を回転自在に軸支する導電性を有したチューブと、
前記チューブに収納され、前記ヒンジ軸を当該チューブに対して所定回転角に位置設定するためのカム機構と、
前記ヒンジ軸に設けられた環状導電体と、
一端部が前記環状導電体のヒンジ軸の他端部に設けられた部分に摺接し且つ他端部が前記チューブに接触する接触子とを備えており、
前記環状導電体のヒンジ軸の一端部に設けられた部分が前記第２又は第１の部材の電子回路のリード部材に電気的に接続される一方、前記チューブの外周面が前記第１又は第２の部材内の電子回路と電気的に接続するための接続面になっていることを特徴とするヒンジ装置。
【請求項２】
請求項１に記載のヒンジ装置において、前記ヒンジ軸の他端部を軸支すると共に、前記カム機構を収容する筒状体であって、前記接触子が嵌まり込むスリットが設けられたボディを有し、このボディが、前記ヒンジ軸、カム機構及び接触子と共に、前記チューブに嵌合するようになっていることを特徴とするヒンジ装置。
【請求項３】
請求項１に記載のヒンジ装置において、前記環状導電体は、前記ヒンジ軸の他端部の外周面に環状に露出し且つ前記接触子の一端部に摺接される環状部を有することを特徴とするヒンジ装置。
【請求項４】
請求項３に記載のヒンジ装置において、前記環状導電体は、前記環状体と電気的に接続されており且つ前記ヒンジ軸の一端部から前記リード部材と電気的に接続するために露出した接点部を有しており、少なくとも前記接点部が前記ヒンジ軸にモールドにより固定されていることを特徴とするヒンジ装置。
【請求項５】
請求項１又は２に記載のヒンジ装置において、前記環状導電体は、前記ヒンジ軸に嵌着されるキャップであることを特徴とするヒンジ装置。
【請求項６】
請求項３に記載のヒンジ装置において、前記接触子は、前記環状部の外周面に両側から弾性的に接触するＵ字状の第１接触部を有することを特徴とするヒンジ装置。
【請求項７】
請求項６に記載のヒンジ装置において、前記接触子は、前記チューブに弾性的に接触する第２接触部を有することを特徴とするヒンジ装置。
【請求項８】
第１の部材に対して第２の部材を開閉可能に軸支するヒンジ装置において、
一端部が前記第２又は第１の部材に回転不能に取り付けられるヒンジ軸と、
前記第１又は第２の部材に回転不能に取り付けられており且つ前記ヒンジ軸の他端部を回転自在に軸支する導電性を有したチューブと、
前記チューブに収納され、前記ヒンジ軸を当該チューブに対して所定回転角に位置設定するためのカム機構と、
前記チューブに接触した状態で収容される端子板と、
前記ヒンジ軸の内部を軸方向に貫通する棒状体であって、一端部が前記ヒンジ軸の一端部から突出して前記第２又は第１の部材の電子回路のリード部材に電気的に接続されており且つ他端部が前記端子板に当接する棒状導電体とを備えており、前記チューブの外周面が前記第１又は第２の部材内の電子回路と電気的に接続するための接続面になっていることを特徴とするヒンジ装置。
【請求項９】
請求項８に記載のヒンジ装置において、前記棒状導電体は、前記ヒンジ軸の中心部を軸方向に貫通することを特徴とするヒンジ装置。
【請求項１０】
請求項８に記載のヒンジ装置において、前記棒状導電体は、当該導電体の他端部にスライド自在に設けられたプランジャを用いて、前記端子板に当接するようになっていることを特徴とするヒンジ装置。
【請求項１１】
請求項８に記載のヒンジ装置において、前記棒状導電体は、当該導電体の一端部にスライド自在に設けられたプランジャを用いて、前記第２又は第１の部材内の電子回路のリード部材と電気的に接続されるようになっていることを特徴とするヒンジ装置。
【発明の詳細な説明】
【０００１】
【発明の属する技術分野】
本発明は、携帯電話を始めとする各種の携帯式情報処理端末に好適に使用され、分割された端末本体を開閉可能に軸支する導通型ヒンジ装置に関する。
【０００２】
【従来の技術】
携帯電話の一種として、電話機本体にフリップと呼ばれる折り畳み式のカバーを設けた機種があり、電話機本体側に大きな表示部を設けることができることから、その需要が急増している。この機種では、電話機本体とカバーの連結のためにヒンジ装置が必要であり、そのヒンジ装置の一つとして、特開平９−２８４１６５号公報により提示されたものがある。
【０００３】
特開平９−２８４１６５号公報により提示されたヒンジ装置は、電話機本体及びカバーのうちの一方の部材に回転不能に固定されるヒンジ本体と、このヒンジ本体に回転自在に支持され、先端部が他方の部材との連結のために前記ヒンジ本体の先端側へ突出したヒンジ軸と、ヒンジ本体内に軸方向へスライド可能に設けられたスライダと、このスライダを軸方向へ付勢して前記ヒンジ軸に当接させる弾性部材と、前記ヒンジ軸と前記スライダの当接部に構成され、電話機本体に対してカバーが開状態及び閉状態に弾性的に保持されるように、前記スライダの直進力を前記ヒンジ軸の回転力に変換するカム機構とを備えている。
【０００４】
【発明が解決しようとする課題】
このヒンジ装置は、ヒンジ軸の回転を利用した回転カム機構を用いることにより、小型で構造が簡単であり、またガタつきが少なく、生産性及び組付け性にも優れる。しかしながら、このヒンジ装置は、電話機本体内の電子回路とカバー内の電子回路を電気的に接続する接続回路を内蔵していない。このため、外付けの接続回路が必要となり、ヒンジ装置の複雑化及び大型化が避けられない。
【０００５】
本発明はかかる事情に鑑みて創案されたものであり、回転カム機構による小型化及び構造簡単化の利点を極力残しつつ、電気的な接続を可能にした導通型ヒンジ装置を提供することを目的とする。
【０００６】
【課題を解決するための手段】
上記目的を達成するために、本発明に係る第１のヒンジ装置は、第１の部材に対して第２の部材を開閉可能に軸支するヒンジ装置であって、一端部が前記第２又は第１の部材に回転不能に取り付けられるヒンジ軸と、前記第１又は第２の部材に回転不能に取り付けられており且つ前記ヒンジ軸の他端部を回転自在に軸支する導電性を有したチューブと、前記チューブに収納され、前記ヒンジ軸を当該チューブに対して所定回転角に位置設定するためのカム機構と、前記ヒンジ軸に設けられた環状導電体と、一端部が前記環状導電体のヒンジ軸の他端部に設けられた部分に摺接し且つ他端部が前記チューブに接触する接触子とを備えており、前記環状導電体のヒンジ軸の一端部に設けられた部分が前記第２又は第１の部材の電子回路のリード部材に電気的に接続される一方、前記チューブの外周面が前記第１又は第２の部材内の電子回路と電気的に接続するための接続面になっている。
【０００７】
本発明に係るヒンジ装置においては、チューブ、このチューブに回転自在に支持されるヒンジ軸に設けられた環状導電体及び接触子によって電気的導通路を構成することにより、両部材間が簡単な構造で電気的に導通される。しかも、前記チューブを介することにより、前記環状導電体と第１又は第２の部材内の電子回路との接続が簡単になる。また、外周面を使用して電気的な接触を行うことができるので、軸方向の装置長が抑制される。
【０００８】
このヒンジ装置は、前記ヒンジ軸の他端部を軸支すると共に、前記カム機構を収容する筒状体であって、前記接触子が嵌まり込むスリットが設けられたボディを更に有し、このボディが、前記ヒンジ軸、カム機構及び接触子と共に、前記チューブに嵌合するようになっている。
【０００９】
前記環状導電体は、前記ヒンジ軸の他端部の外周面に環状に露出し且つ前記接触子の一端部に摺接される環状部を有した構成とすることができる。これによると、ヒンジ軸と共に回転する環状導電体と第１又は第２の部材内の電子回路とが、前記環状部を介して簡単かつ確実に接続される。また、環状部の外周面を使用して電気的な接触を行うことにより、軸方向の装置長が抑制される。
【００１０】
前記環状導電体は、前記環状体と電気的に接続されており且つ前記ヒンジ軸の一端部から前記リード部材と電気的に接続するために露出した接点部を有しており、少なくとも前記接点部が前記ヒンジ軸にモールドにより固定された構成とすることができる。この構成によると、当該導電体がヒンジ軸に簡単かつ確実に固定される。
【００１１】
前記環状導電体は、前記ヒンジ軸に嵌着されたキャップとすることができる。これによると、当該導電体がヒンジ軸に簡単かつ確実に固定され、且つ、その表面積が増大することにより、電気的な接続が簡単で確実になる。
【００１２】
前記接触子は、前記環状部の外周面に両側から弾性的に接触するＵ字状の第１接触部を有する構成が可能である。この構成によると、当該導電体と第１又は第２の部材内の電子回路とが簡単かつ確実に接続される。
【００１３】
前記接触子は、前記チューブに弾性的に接触する第２接触部を有した構成とすることができる。この構成によると、前記チューブを介することにより、前記環状導電体と第１又は第２の部材内の電子回路との接続が簡単になる。
【００１４】
また、本発明の第２のヒンジ装置は、第１の部材に対して第２の部材を開閉可能に軸支するヒンジ装置であって、一端部が前記第２又は第１の部材に回転不能に取り付けられるヒンジ軸と、前記第１又は第２の部材に回転不能に取り付けられており且つ前記ヒンジ軸の他端部を回転自在に軸支する導電性を有したチューブと、前記チューブに収納され、前記ヒンジ軸を当該チューブに対して所定回転角に位置設定するためのカム機構と、前記チューブに接触した状態で収容される端子板と、前記ヒンジ軸の内部を軸方向に貫通する棒状体であって、一端部が前記ヒンジ軸の一端部から突出して前記第２又は第１の部材の電子回路のリード部材に電気的に接続されており且つ他端部が前記端子板に当接する棒状導電体とを備えており、前記チューブの外周面が前記第１又は第２の部材内の電子回路と電気的に接続するための接続面になっている。
【００１５】
本発明の第２のヒンジ装置においては、チューブ、このチューブに回転自在に軸支されるヒンジ軸を貫通する棒状導電体、及び前記チューブに接触し且つ前記棒状導電体が当接する端子板によって電気的導通路を構成することにより、両部材間が簡単な構造で電気的に導通される。
【００１６】
前記棒状導電体は、当該導電体の他端部にスライド自在に設けられたプランジャを用いて、前記端子板と電気的に接続することができる。これによると、当該導電体と第１又は第２の部材内の電子回路とが簡単かつ確実に接続される。また、軸方向の装置長が抑制される。
【００１８】
棒状導電体は、当該導電体の一端部にスライド自在に設けられたプランジャを用いて、第２又は第１の部材内の電子回路のリード部材と電気的に接続することができる。これによると、より確実な接続が可能になる。
【００１９】
【発明の実施の形態】
以下に本発明の実施形態を図面に基づいて説明する。図１は本発明の第１実施形態に係るヒンジ装置の縦断側面図、図２は同ヒンジ装置の横断平面図、図３は図２のＡ−Ａ線矢示図、図４は図２のＢ−Ｂ線矢示図、図５は同ヒンジ装置とカバーの連結部の横断平面図（図６のＣ−Ｃ線矢示図）、図６は同連結部の縦断側面図（図５のＤ−Ｄ線矢示図）、図７は同連結部の分解斜視部である。
【００２０】
第１実施形態に係るヒンジ装置は、折り畳み式携帯電話の電話機本体１０と、フリップと呼ばれるカバー２０とのヒンジ結合及び電気的接続に使用されている。
【００２１】
このヒンジ装置は、図１〜図４に示すように、電話機本体１０に回転不能に取り付けられるヒンジ本体としてのボディ３０と、ボディ３０の底面に取り付けられた導電性の接触子４０と、ボディ３０の外側に嵌合された導電性のチューブ５０と、ボディ３０の先端部内に回転自在に支持されたヒンジ軸６０と、ヒンジ軸６０に一体的に設けられた環状導電体７０と、ヒンジ軸６０の後方に位置してボディ３０内に収容されたスライダ８０と、スライダ８０の更に後方に位置してボディ３０内に収容された弾性部材９０とを備えている。
【００２２】
ボディ３０は、先端面が開口し後端面が閉塞された角筒状の樹脂成形体である。ボディ３０の基板側面には、接触子４０の一部を挿入するために、軸方向に延びる両側一対のスリット状の開口部３１が設けられている。また、ボディ３０の先端部両側面には、接触子４０の一部を挿入するために、縦方向に延びる両側一対のスリット状の開口部３２が設けられている。
【００２３】
ボディ３０に外装されたチューブ５０は、ボディ３０の外面形状に対応する角筒形状である。ボディ３０は、チューブ５０内に後端側から環状のスペーサ１００を介して挿入され、チューブ５０の後端部を内側へ折り曲げられることにより、チューブ５０内に固定されている。チューブ５０の先端面には、ヒンジ軸６０の先端部を前方へ突出させるために、円形の開口部５１が設けられている。
【００２４】
ヒンジ軸６０は、ボディ３０の先端部内に回転自在に支持される円柱形状の本体部６１と、前記本体部６１の先端面中心部から先端側へ突出した角柱形状の軸部６２とを有している。前記軸部６２は、ボディ３０の先端側に突出し、カバー２０と回転不能に連結される。前記本体部６１の後端面には、後述するスライダ８０の先端部が当接するカム面６３が形成されている。
【００２５】
環状導電体７０は前記ヒンジ軸６０に一体的に設けられ、前記ヒンジ軸６０の前記本体部６１の外周面に全周にわたって露出する円環状の第１環状部７１と、前記ヒンジ軸６０の前記軸部６２の外周面に全周にわたって露出する角筒状の第２環状部７２とを有するスリーブタイプである。前記第１環状部７１と前記第２環状部７２は、一体的に形成されたＵ字状の連結部７３により連結されている。前記第２環状部７２の先端側には、Ｌ字状の接点部７４が一体的に設けられている。
【００２６】
この環状導電体７０は、モールドによって前記ヒンジ軸６０と一体化されており、前記連結部７３及び前記接点部７４は、前記ヒンジ軸６０の中心部まで埋設されている。前記接点部７４の先端面は、前記カバー２０内の電子回路との接続のために、前記軸部６２の先端面に露出している。前記第１環状部７１及び前記第２環状部７２の各外周面は、前記ヒンジ軸６０の前記本体部６１及び軸部６２の各外周面と面一になっている。
【００２７】
ボディ３０の底面に取り付けられた導電性の前記接触子４０は、平板状のベース部４１と、前記ベース部４１の両側縁部から上方へ延出した両側一対の固定部４２と、同じく前記ベース部４１の両側縁部から上方へ延出した両側一対の第１接触部４３と、前記ベース部４１の後縁部から後方へ延出した両側一対の第２接触部４４とを有している。
【００２８】
両側一対の固定部４２は、前記ボディ３０の底面に設けられた両側一対のスリットに嵌合することにより、前記ベース部４１を前記ボディ３０の底面に固定している。両側一対の第１接触部４３は、ベース部４１と共にＵ字状の接片を形成しており、ボディ３０の両側面に設けられた両側一対の前記開口部３２を通して、前記環状導電体７０の前記第１環状部７１に両側から弾性的に接触している。両側一対の前記第２接触部４４は、前記ボディ３０の基板側面に設けられた両側一対の前記開口部３１内に収容されており、この状態でチューブ５０の下面部に内側から弾性的に接触している。
【００２９】
従って、チューブ５０と環状導電体７０は、接触子４０を介して電気的に接続されている。
【００３０】
ヒンジ軸６０の後方に位置してボディ３０内に収容されたスライダ８０は、ボディ３０の内面形状に対応する角形の本体部８１と、前記本体部８１の先端面に一体的に設けられた一対のピン状の凸部８２とを有している。角形の本体部８１が前記ボディ３０内に嵌合することにより、前記スライダ８０は周方向で固定されている。
【００３１】
弾性部材９０は、ここでは圧縮状態でボディ３０内に収容されたコイルスプリングである。スライダ８０は、その後端側に配置された弾性部材９０により先端側へ付勢されている。前記弾性部材９０による付勢により、前記スライダ８０の一対の凸部８２が、その先端側に配置されたヒンジ軸６０のカム面６３に弾性的に当接する。
【００３２】
ここで、ヒンジ軸６０のカム面６３は、中心軸の回りに形成された一対の山形凸部を有する。前記ヒンジ軸６０の周方向に外力が付加されない状態では、スライダ８０の一対の凸部８２が一対の前記山形凸部の間に形成された一対の谷部に嵌合する。この状態から前記ヒンジ軸６０が特定の方向へ回転すると、前記スライダ８０は弾性部材９０による付勢力に抗して後端側へ移動する。この反力により、前記ヒンジ軸６０は原位置への復元力を受ける。前記ヒンジ軸６０が更に回転することにより、一対の前記山形凸部の頂点が前記スライダ８０の一対の前記凸部８２に近づく。一対の前記山形凸部の頂点が前記スライダ８０の一対の前記凸部８２を越えると、前記ヒンジ軸６０は逆方向の復元力、即ち回転方向の推進力を受ける。
【００３３】
これにより、ヒンジ軸６０は回転方向の２位置に弾性的に保持される。そして、ボディ３０が取り付けられる電話機本体１０に対して、ヒンジ軸６０に連結されるカバー２０が、閉状態と開状態に所定の復元力で弾性的に保持されるように、前記ヒンジ軸６０の前記カム面６３の形状が設計されている。
【００３４】
第１実施形態に係るヒンジ装置では、前述したとおり、チューブ５０が電話機本体１０に回転不能に取り付けられる。この状態で、ボディ３０に外装されたチューブ５０の下面が電話機本体１０の基板１１の表面に対向し、前記基板１１の表面に実装された接片型のコネクタ１２と接触する。
【００３５】
接片型のコネクタ１２は、基板１１の表面から離れる方向に付勢された接触部１２ａを有しており、ボディ３０が電話機本体１０に取り付けられた状態で、この接触部１２ａがチューブ５０の下面に接触する。これにより、前記チューブ５０が前記電話機本体１０の電子回路と電気的に接続される。
【００３６】
一方、ヒンジ軸６０に連結されるカバー２０は、図５〜図７に示すように、フリップケース２１と、フリップケース２１の開口部を覆うフリップカバー２２と、リード部材２３とを備えている。前記リード部材２３は、前記カバー２０内の電子回路と導通型ヒンジ装置との接続に使用される。前記リード部材２３の一端部は、前記カバー２０内の基板２４と接続される接続部２３ａであり、他端部は、ヒンジ装置の前記ヒンジ軸６０に設けられた前記環状導電体７０と接触する接点部２３ｂである。
【００３７】
フリップケース２１は、四角形の皿状の本体部２１ａと、電話機本体１０との連結のために本体部２１ａの隅部から突出した円形のヘッド部２１ｂとを有している。ヘッド部２１ｂには、リード部材２３の接点部２３ｂが嵌合する凹部２１ｃが設けられている。フリップカバー２２は、フリップケース２１の本体部２１ａに嵌合する薄板状の本体部２２ａと、前記ヘッド部２１ｂに嵌合する円形のヘッド部２２ｂとを有している。前記ヘッド部２２ｂの中心部には、ヒンジ装置のヒンジ軸６０の軸部６２が嵌合する四角形の貫通孔２２ｃが設けられている。
【００３８】
フリップケース２１にフリップカバー２２を装着することにより、前記フリップケース２１の前記ヘッド部２１ｂ内にリード部材２３の接点部２３ｂが固定される。この状態で、前記フリップカバー２２のヘッド部２２ｂの中心部に設けられた貫通孔２２ｃにヒンジ装置のヒンジ軸６０が嵌合することにより、ヒンジ軸６０の先端面に露出する環状導電体７０の接点部７４が、リード部材２３の接点部２３ｂに弾性的に接触する。これにより、前記環状導電体７０が前記カバー２０内の電子回路と電気的に接続される。
【００３９】
その結果、電話機本体１０内の電子回路とカバー２０内の電子回路とが、ヒンジ装置を介して電気的に接続される。
【００４０】
また、電話機本体１０とカバー２０がヒンジ装置を介して機械的にヒンジ結合される。そして、ヒンジ装置内のヒンジ軸６０とスライダ８０との間にカム面６３及び凸部８２によって構成されたカム機構により、前記電話機本体１０に対して前記カバー２０が閉状態と開状態に所定の復元力で弾性的に保持されるのは、前述したとおりである。
【００４１】
次に、第１実施形態に係るヒンジ装置の機能、特に導通機能について説明する。
【００４２】
ヒンジ軸６０に固定された環状導電体７０の接点部７４がヒンジ軸６０の軸部６２の先端面に露出し、これがケース２０内のリード部材２３と接触することにより、環状導電体７０がケース２０内の電子回路と電気的に接続される。
【００４３】
また、ボディ３０の下面に固定された接触子４０の両側一対の第１接触部４３が、環状導電体７０の第１環状部７１に両側から弾性的に接触し、第２接触部４４がチューブ５０の下面側に内側から弾性的に接触することにより、前記環状導電体７０がチューブ５０と電気的に接続される。
【００４４】
そして、チューブ５０を電話機本体１０に取り付けた状態で、基板１１上のコネクタ１２が前記チューブ５０の下面部に外側から弾性的に接触することにより、前記チューブ５０が前記電話機本体１０内の電子回路と電気的に接続される。
【００４５】
環状導電体７０はモールドによりヒンジ軸６０と強固に一体化されている。環状導電体７０に第１環状部７１を設け、その外周面に接触子４０の両側一対の第１接触部４３を両側から接触させるので、広い接触面積が確保され、且つ、ボディ３０の軸方向長さが抑制される。
【００４６】
環状導電体７０の第１環状部７１は、ヒンジ軸６０の本体部６１の外周面と面一になっているので、ボディ３０内にヒンジ軸６０を挿入し、接触子４０を取り付けた後も、前記接触子４０の第１接触部４３を変形させることなく、前記ボディ３０内から前記ヒンジ軸６０を引き抜く操作が可能になる。
【００４７】
ボディ３０に外装されるチューブ５０は広い接触面積を有し、接触子４０の第２接触部４４との接触及びカバー２０側のコネクタ１２との接触を確実にする。チューブ５０の４つの側面のいずれも、コネクタ１２との接触が可能である。
【００４８】
なお、本実施形態では、環状導電体７０の第２環状部７２をケース２０内の電子回路との接続に使用することができる。
【００４９】
図８は本発明の第２実施形態に係るヒンジ装置の縦断側面図である。
【００５０】
第２実施形態に係るヒンジ装置は、第１実施形態に係るヒンジ装置と比べ、環状導電体７０のみが相違する。他の構成は、第１実施形態に係るヒンジ装置と同一であるので、同一部分については同一番号を付して説明を省略する。
【００５１】
環状導電体７０は、ここでは、ヒンジ軸６０の軸部６２から本体部６１の前部にかけて部分に被着されたキャップになっている。接触子４０の両側一対の第１接触部４３は、前記環状導電体７０の後端部外周面に両側から弾性的に接触する。前記環状導電体７０の先端面７６Ａは、ケース２０内のリード部材２３と接触する。
【００５２】
キャップタイプの環状導電体７０は、大きな表面積を確保でき、電気的な接続を確実にする。特に、ケース２０内のリード部材２３との接触面積が大きくなることにより、この間の電気的接続が確実になる。
【００５３】
図９は本発明の第３実施形態に係るヒンジ装置の縦断面図である。第３実施形態に係るヒンジ装置は、第１及び２実施形態に係るヒンジ装置と比べ、導電体の構造、及びチューブ５０と導電体間の導通構造が相違する。
【００５４】
第３実施形態に係るヒンジ装置では、ヒンジ軸６０の中心部には棒状導電体７０′が圧入されている。前記棒状導電体７０′の後部はスライダ８０の中心部に設けられた貫通孔８７を通ってスライダ８０の後方へ突出している。前記棒状導電体７０′の後部には、プランジャ７５が取り付けられている。前記プランジャ７５は、前記棒状導電体７０′と電気的に接続された状態でその後部内にスライド自在に支持されており、前記棒状導電体７０′に内蔵されたスプリング７７により、後端側へ付勢されている。
【００５５】
プランジャ７５の先端部は、チューブ５０の後端部内に挿入された端子板１１０の中心部に弾性的に接触している。前記端子板１１０は、チューブ５０内の弾性部材９０により前記チューブ５０の後端部内面に押し付けられている。これにより、棒状導電体７０′は、前記プランジャ７５及び前記端子板１１０を介して前記チューブ５０と導通している。
【００５６】
他の構成は、第１及び第２実施形態に係るヒンジ装置と同一であるので、同一部分については同一番号を付して説明を省略する。
【００５７】
第３実施形態に係るヒンジ装置では、棒状導電体７０′とチューブ５０の間の導通させるために、プランジャ７５が使用されている。前記プランジャ７５は端子板１１０に弾性的に接触し、前記端子板１１０はチューブ５０の後端部内面に押し付けられているので、棒状導電体７０′とチューブ５０の間が確実に導通される。また、前記プランジャ７５はスライダ８０の後端側に配置される弾性部材９０の内側に配置される。このため、前記棒状導電体７０′の外周面を電気的接触に使用しない構成であるにもかかわらず、軸方向の装置長が抑制される。
【００５８】
チューブ５０は、ボディ３０を兼ね、その後端部は閉塞されている。ボディ３０を省略したことにより、ヒンジ軸６０の本体部６１はチューブ５０の先端部内で回転自在に支持される。また、スライダ８０はチューブ５０の内面に案内されて軸方向に移動する。
【００５９】
プランジャ７５は、ヒンジ軸６０の中心部に固定された棒状導電体７０′に対して確実な導通を保証するだけでなく、ボディ３０を不要にし、部品点数の低減及び装置の小型化を図る。特に、ヒンジ軸６０の外側から接触子４０を排除することにより、装置のスリム化を図る。
【００６０】
図１０は本発明の第４実施形態に係るヒンジ装置の縦断面図である。
【００６１】
第４実施形態に係るヒンジ装置は、棒状導電体７０′の先端部にプランジャ７６を設けた点が、第３実施形態に係るヒンジ装置と相違する。他の構成は、第３実施形態に係るヒンジ装置と同一であるので、同一部分については同一番号を付して説明を省略する。
【００６２】
先端側のプランジャ７６は、棒状導電体７０′と電気的に接続された状態でその先端内にスライド自在に支持されており、前記棒状導電体７０′に内蔵されたスプリング７７により先端側へ付勢されている。前記棒状導電体７０′の先端部にプランジャ７６を設けることにより、カバー側の電子回路との電気的接続もより確実となる。前記プランジャ７６は、第３実施形態に係るヒンジ装置に使用された棒状導電体７０′に設けることも可能である。
【００６３】
上述の実施形態では、ヒンジ装置のチューブ５０を電話機本体１０に取り付け、ヒンジ軸６０の軸部６２をカバー２０に連結したが、チューブ５０をカバー２０に取り付け、ヒンジ軸６０の軸部６２を電話機本体１０に連結することも可能である。
【００６４】
また、本発明に係るヒンジ装置は、フリップ付き携帯電話に限らず、他の折り畳み式電子機器に適用可能であり、電子回路を実装した２つの部材のヒンジ結合及び電気的な接続に広範囲に適用可能である。
【００６５】
また、ヒンジ軸６０とスライダ８０の間に構成されるカム機構については、スライダ８０の先端面にカム面を形成することも可能である。
【００６６】
【発明の効果】
以上、本発明に係るヒンジ装置による場合には、回転カム式装置のヒンジ軸に導電体が設けられ、且つ、その導電体がチューブ内に臨むようにヒンジ軸の外へ露出すると共に、チューブ外に臨むようにヒンジ軸から露出することにより、回転カム機構による小型化及び構造簡単化の利点を残しつつ、電気的な接続が可能になる。
【００６７】
また、前記チューブが導電性を有しており、接触子を通じて前記導電体と電気的に接続され、且つその外周面が第１又は第２の部材内の電子回路と電気的に接続されるようになっているので、より確実な接続とより一層の小型化が可能になる。
【００６８】
また、導電体を、前記環状導電体は、前記ヒンジ軸の他端部の外周面に環状に露出し且つ前記接触子に摺接される環状部を有する環状導電体とした場合は、より確実な接続とより一層の小型化が可能になる。
【００６９】
また、前記環状導電体は、前記環状体と電気的に接続されており且つ前記ヒンジ軸の一端部から前記電子回路に電気的に接続するために露出した接点部を有しており、少なくとも前記接点部が前記ヒンジ軸にモールドにより固定されている場合は、導電体の固定強度が上がる。
【００７０】
また、環状導電体を、ヒンジ軸に嵌着されたキャップとした場合は、より確実な接続が可能になる。
【００７２】
また、接触子に、環状部の外周面に両側から弾性的に接触するＵ字状の第１接触部を設けた場合は、より確実な接続が可能になる。また、前記環状部の外周面に弾性的に接触する接触子の第１接触部を用いて、第１又は第２の部材内の電子回路と電気的に接続すると、より確実な接続とより一層の小型化が可能になる。
【００７３】
また、接触子を、前記チューブに弾性的に接触する第２接触部を有する構成とした場合は、より確実な接続が可能になる。
【００７４】
また、導電体を、ヒンジ軸を軸方向に貫通する棒状導電体とした場合は、より確実な接続とより一層の小型化が可能になり、組立性が向上する。
【００７５】
また、棒状導電体を、当該導電体の他端部にスライド自在に設けられたプランジャを用いて、前記端子板と電気的に接続した場合は、より確実な接続とより一層の小型化が可能になる。
【００７７】
また、棒状導電体を、当該導電体の一端部にスライド自在に設けられたプランジャを用いて、第１又は第２の部材内の電子回路のリード部材と電気的に接続した場合は、より確実な接続が可能になる。
【図面の簡単な説明】
【図１】本発明の第１実施形態に係る導通型ヒンジ装置の縦断側面図である。
【図２】同導通型ヒンジ装置の横断平面図である。
【図３】図２のＡ−Ａ線矢示図である。
【図４】図２のＢ−Ｂ線矢示図である。
【図５】同導通型ヒンジ装置とカバーの連結部の横断平面図（図６のＣ−Ｃ線矢示図）である。
【図６】同連結部の縦断側面図（図５のＤ−Ｄ線矢示図）である。
【図７】同連結部の分解斜視図である。
【図８】本発明の第２実施形態に係る導通型ヒンジ装置の縦断側面図である。
【図９】本発明の第３実施形態に係る導通型ヒンジ装置の縦断面図である。
【図１０】本発明の第４実施形態に係る導通型ヒンジ装置の縦断面図である。
【符号の説明】
１０  電話機本体
２０  カバー
３０  ボディ
４０  接触子
４３  第１接触部
４４  第２接触部
４６  接片
４６ａ  第１接触部
４６ｂ  第２接触部
５０  チューブ
６０  ヒンジ軸
６１  本体部
６２  軸部
６３  カム面
７０  環状導電体
７０′  棒状導電体
７１  第１環状部
７２  第２環状部
７５，７６  プランジャ
７６Ａ  先端面
７７  スプリング
８０  スライダ
９０  弾性部材
１００  スペーサ
１１０  端子板
【図１】
0003961242.tif 000002
【図２】
0003961242.tif 000003
【図３】
0003961242.tif 000004
【図４】
0003961242.tif 000005
【図５】
0003961242.tif 000006
【図６】
0003961242.tif 000007
【図７】
0003961242.tif 000008
【図８】
0003961242.tif 000009
【図９】
0003961242.tif 000010
【図１０】
0003961242.tif 000011